(57)【特許請求の範囲】
【請求項１】
エンジン始動用のスタータに電力を供給する第一蓄電装置と、車両の減速時等に運動エネルギーを電気エネルギーに変換して回収する発電機と、該発電機に接続されてその発電電力を蓄える第二蓄電装置とを備えた車両の電源制御装置であって、上記第二蓄電装置とオーディオ類やメータ類等からなる電気負荷容量の小さい第一電気負荷物とをＤＣ／ＤＣコンバータを介して接続する第一給電回路と、上記第二蓄電装置と第一蓄電装置および上記スタータを含む第二電気負荷物とをバイパスリレーを介して接続する第二給電回路と、上記ＤＣ／ＤＣコンバータおよび上記バイパスリレーの下流部において、上記第一給電回路と上記第二給電回路とを接続リレーを介して接続する接続ラインと、上記第一、第二給電回路および接続ラインを流れる電力を制御する通電制御手段とを備え、この通電制御手段は、上記スタータの作動時に上記接続リレーおよび上記バイパスリレーをオフ状態とする制御を実行し、さらに、所定の自動停止条件の成立により停止されているエンジンの再始動時に上記第二蓄電装置の残存電力がエンジン再始動に必要とされる消費電力より小さいときに、上記接続リレーをオン状態、上記バイパスリレーをオフ状態としかつ上記ＤＣ／ＤＣコンバータの出力を停止する制御を実行することを特徴とする車両の電源制御装置。
【請求項２】
請求項１に記載の車両の電源制御装置において、エンジンの上記自動停止条件が成立したときにエンジンを自動的に停止させるエンジン自動停止制御を行うとともに、その後エンジンの再始動条件が成立したときに上記スタータを作動させてエンジンを自動的に再始動させる自動停止制御手段と、上記第二蓄電装置の電圧を検出する電圧検出手段により検出された上記第二蓄電装置の電圧が所定値以下である場合に、上記自動停止制御手段による自動停止制御の実行を禁止するように構成されたことを特徴とする車両の電源制御装置。
【請求項３】
請求項１または２に記載の車両の電源制御装置において、上記第二蓄電装置は、第一蓄電装置よりも急速な充放電が可能なキャパシタにより形成されたことを特徴とする車両の電源制御装置。
【発明の詳細な説明】
【技術分野】
【０００１】
本発明は、エンジン始動用のスタータに電力を供給する第一蓄電装置と、車両の減速時等に運動エネルギーを電気エネルギーに変換して回収する発電機と、該発電機に接続されてその発電電力を蓄える第二蓄電装置とを備えた車両の電源制御装置に関するものである。
【背景技術】
【０００２】
従来、下記特許文献１に示されるように、ヘッドランプのような突入電流が大きい電気負荷が突然にオン状態とされることよるグランド電位の上昇に影響を受けることなくバッテリ電源の昇圧を確実に行うことができ、エンジン停止時から再始動する際に電気負荷へ確実に電力を供給できるようにすることを目的として、自動停止したエンジンを再始動するときに、エンジンのスタータに電力を供給するバッテリと、該スタータの作動時に上記バッテリの電圧を昇圧して第１の電気負荷へ電力を供給する昇圧コンバータと、上記バッテリに接続されて電源スイッチがオンとされたときに突入電流が流れる第２の電気負荷の作動を遅延させる作動遅延制御を行う作動遅延制御手段とを設け、該作動遅延制御手段により、上記昇圧コンバータの動作に作動遅延制御を実行することが行われている。
【先行技術文献】
【特許文献】
【０００３】
【特許文献１】特開２００９−１４２０８９号公報
【発明の概要】
【発明が解決しようとする課題】
【０００４】
上記特許文献１に開示された車両用電源装置では、オーディオ装置およびナビゲーション装置等の第１の電気負荷、ヘッドランプ等の第２の電気負荷およびスタータに対し、バッテリの直流電流をそれぞれ供給するように構成されているため、該バッテリの電圧を必要に応じて昇圧する昇圧コンバータや、突入電流が流れる第２の電気負荷の作動を遅延させる作動遅延制御手段を設けたとしても、上記バッテリとして大容量のものを使用する必要があるとともに、上記昇圧コンバータを有する電源ラインとして大電流を通電可能なものを使用する必要があり、装置が大型化して製造コストが高くなるという欠点があった。
【０００５】
本発明は、上記の問題点に鑑みてなされたものであり、簡単な構成で車両に設けられた種々の電気負荷に対して適正に電力を供給することができる車両の電源制御装置を提供することを目的としている。
【課題を解決するための手段】
【０００６】
請求項１に係る発明は、  エンジン始動用のスタータに電力を供給する第一蓄電装置と、車両の減速時等に運動エネルギーを電気エネルギーに変換して回収する発電機と、該発電機に接続されてその発電電力を蓄える第二蓄電装置とを備えた車両の電源制御装置であって、上記第二蓄電装置とオーディオ類やメータ類等からなる電気負荷容量の小さい第一電気負荷物とをＤＣ／ＤＣコンバータを介して接続する第一給電回路と、上記第二蓄電装置と第一蓄電装置および上記スタータを含む第二電気負荷物とをバイパスリレーを介して接続する第二給電回路と、上記ＤＣ／ＤＣコンバータおよび上記バイパスリレーの下流部において、上記第一給電回路と上記第二給電回路とを接続リレーを介して接続する接続ラインと、上記第一、第二給電回路および接続ラインを流れる電力を制御する通電制御手段とを備え、この通電制御手段は、上記スタータの作動時に上記接続リレーおよび上記バイパスリレーをオフ状態とする制御を実行し、さらに、所定の自動停止条件の成立により停止されているエンジンの再始動時に上記第二蓄電装置の残存電力がエンジン再始動に必要とされる消費電力より小さいときに、上記接続リレーをオン状態、上記バイパスリレーをオフ状態としかつ上記ＤＣ／ＤＣコンバータの出力を停止する制御を実行するものである。
【０００７】
請求項２に係る発明は、上記請求項１に記載の車両の電源制御装置において、エンジンの上記自動停止条件が成立したときにエンジンを自動的に停止させるエンジン自動停止制御を行うとともに、その後エンジンの再始動条件が成立したときに上記スタータを作動させてエンジンを自動的に再始動させる自動停止制御手段と、上記第二蓄電装置の電圧を検出する電圧検出手段を備え、この電圧検出手段により検出された上記第二蓄電装置の電圧が所定値以下である場合に、上記自動停止制御手段による自動停止制御の実行を禁止するように構成されたものである。
【０００８】
請求項３に係る発明は、上記請求項１または２に記載の車両の電源制御装置において、上記第二蓄電装置は、第一蓄電装置よりも急速な充放電が可能なキャパシタにより形成されたものである。
【発明の効果】
【０００９】
請求項１に係る発明では、上記スタータの作動時に接続ラインの接続リレーおよび第二給電回路のバイパスリレーをオフ状態として、上記第二蓄電装置から第一蓄電装置等への電力の供給を停止するように構成したため、上記第二蓄電装置の電力不足に起因して、スタータを作動させてエンジンを始動させる際に、第二蓄電装置から各電気負荷物に充分な電流を供給することができなくなるという事態の発生を効果的に防止し、該電気負荷物が意に反して作動停止状態となるのを効果的に防ぐことができる。また、エンジンを自動停止させた後に再始動させる際に、第二蓄電装置の電力不足に起因して第一電気負荷物が作動不可となること等が防止される。
【００１０】
請求項２に係る発明では、エンジンを再始動させる際に第二蓄電装置の残留電力が少ないために上記消費電力を賄うことができない状態にある場合には、エンジンの自動停止制御の実行が禁止されることにより、エンジンの再始動時に、各電気負荷物に充分な電流を供給することができないことに起因して、該電気負荷物が作動停止状態となるという事態の発生を効果的に防止することができる。
【００１１】
請求項３に係る発明では、鉛蓄電池等よりも急速な充放電が可能なキャパシタにより第二蓄電装置を形成した場合には、上記発電機の発電電流を第二蓄電装置に供給して迅速に充電することができるとともに、該第二蓄電装置に充電された電力を、上記ＤＣ／ＤＣコンバータを介して適正値に降下させた状態で、上記電気負荷物に供給することにより効果的に電力の有効利用を図ることができる。
【図面の簡単な説明】
【００１２】
【図１】本発明に係る電源制御装置を備えた車両の概略構成を示す平面図である。
【図２】本発明に係る電源制御装置を備えた車両の概略構成を示す側面図である。
【図３】本発明に係る電源制御装置の実施形態を示すブロック図である。
【図４】接続リレーをオン状態としつつ、バイパスリレーをオン状態としたブロック図である。
【図５】接続リレーおよびバイパスリレーをオフ状態としたブロック図である。
【図６】ＤＣ／ＤＣコンバータの出力を停止した状態を示すブロック図である。
【図７】本発明の実施形態に係る電源制御装置の制御動作を示すフローチャートである。
【図８】エンジンの再始動時における電源制御装置の制御動作を示すフローチャートである。
【発明を実施するための形態】
【００１３】
図１および図２は、本発明の実施形態に係る車両の電源制御装置を備えた車両の前部構造を示している。該車両の前部に位置するエンジンルーム１内には、図示を省略したエンジン（内燃機関）およびトランスミッションが配設され、エンジンルーム１内の一方側（当実施形態では左側）には、長期に亘り電力を保持可能な鉛蓄電池等からなる第一蓄電装置３が配設されるとともに、上記エンジンルーム１内の他方側（右側）には、車両の減速時等に運動エネルギーを電気エネルギーに変換して回収するオルタネータからなる発電機４が配設されている。
【００１４】
また、上記エンジンルーム１内の他方側であってフロントタイヤ２の前方側には、第一ハーネス５により上記発電機４に接続された第二蓄電装置６が配設されている。該第二蓄電装置６は、複数の電気二重層キャパシタセルが直列に接続されてなるキャパシタからなり、上記第一蓄電装置３よりも急速な充放電が可能であるという特性を有している。そして、車両の減速時等にオルタネータからなる発電機４が駆動されることにより発生した電力が上記第一ハーネス５を介して第二蓄電装置６に供給され、該第二蓄電装置６が発電機４の発電電圧に応じた適宜の電圧、例えば１４Ｖ〜２５Ｖ程度に充電されるようになっている。
【００１５】
上記エンジンルーム１の後方側に位置する車室内には、後述の自動停止制御手段２９および通電制御手段３０を構成するＣＰＵや各種メモリ等を備えた制御ユニット７が、運転席または助手席の下方に位置するフロアパネル上に設置されている。そして、フロントタイヤ２の上方に形成されホイールアーチに沿って上記第一蓄電装置３と制御ユニット７等とを接続する第二ハーネス８が配策されている。
【００１６】
図３は、本発明に係る車両の電源制御装置の具体的構成を示すブロック図であり、該車両の電源制御装置には、上記第一蓄電装置３の電圧を検出する第一電圧検出手段９と、第二蓄電装置６の電圧を検出する第二電圧検出手段１０とが設けられるとともに、ナビゲーション装置１１、オーディオ装置１２、メータユニット１３および車室内照明装置１４等の電気負荷容量が比較的小さい第一電気負荷物１５と、上記第二蓄電装置６とをＤＣ／ＤＣコンバータ１６を介して接続する第一給電回路１７が設けられている。上記ＤＣ／ＤＣコンバータ１６は、第二蓄電装置６から給電電圧を上記第一電気負荷物１５の作動電圧に対応した値、例えば１４Ｖ程度に降下させる機能を有するものである。
【００１７】
上記第一蓄電装置３と第二蓄電装置６とは、第一給電回路１７のＤＣ／ＤＣコンバータ１６と並列に設置されたバイパスリレー１８を有する第二給電回路１９により接続されている。また、エンジン始動用のスタータ２０、パワーステアリング装置２１およびＡＢＳ・ＤＳＣ装置２２等からなる電気負荷容量が比較的大きい第二電気負荷物２３と、上記第二蓄電装置６とが、上記第二給電回路１９を介して接続されている。
【００１８】
上記第二蓄電装置６には、その電力を放電させる抵抗回路を備えた放電手段２５が接続されている。該放電手段２５は、イグニッションスイッチがオフ操作されてエンジンが停止状態なった時点で、上記第二電圧検出手段１０により第二蓄電装置６の電圧が予め設定された基準値（例えば１６Ｖ程度）以上であることが検出されたときに上記制御ユニット７から出力される制御信号に応じて第二蓄電装置６に蓄えられた電力を、車体を介してアースすることにより放電させるように構成されている。
【００１９】
また、上記第一給電回路１７と第二給電回路１９とは、ＤＣ／ＤＣコンバータ１６およびバイパスリレー１８の下流部において、接続リレー２６を有する接続ライン２７により互いに接続されている。そして、上記制御ユニット７には、ブレーキスイッチ、アクセルスイッチおよび車輪速センサ等からなる運転状態検出手段２８の検出信号に応じてエンジンを自動停止させるとともに該エンジンを再始動させる制御を実行する自動停止制御手段２９と、上記バイパスリレー１８および接続リレー２６のオンオフ制御を実行する等により、上記第一給電回路１７、第二給電回路１９および接続ライン２７を流れる電力を制御し、かつ上記発電機４および放電手段２５を必要に応じて作動させるように制御する通電制御手段３０とが設けられている。
【００２０】
自動停止制御手段２９は、上記運転状態検出手段２８の検出信号に応じてエンジンの自動停止条件が成立したことが検出された時点、例えば交差点等において車両を一時的に停止させる状態となったと判定された時点で、燃料噴射を停止してエンジンを自動的に停止させるとともに、その後に車両の発進操作が行われる等によりエンジンの再始動条件が成立した時点で、上記スタータ２０を作動させてエンジンを自動的に再始動させる制御を実行するように構成されている。
【００２１】
通常の運転時には、図３に示すように、上記第二給電回路１９のバイパスリレー１８をオフ状態とするとともに、上記接続ライン２７の接続リレー２６をオン状態とする制御が、上記通電制御手段３０において実行される。この状態で車両の減速時または下り坂の走行時に、上記発電機４により２５Ｖ程度の電圧で発電が行われ、該発電電流が第二蓄電装置６に供給されて充電される。該第二蓄電装置６に充電された電力は、上記ＤＣ／ＤＣコンバータ１６を介して１４Ｖ程度に降下された状態で、上記第一給電回路１７を通ってナビゲーション装置１１等からなる第一電気負荷物１５に供給されるとともに、上記接続ライン２７を通って第一蓄電装置３および第二電気負荷物２３に供給されることにより有効に利用される。
【００２２】
そして、エンジンの作動状態で、上記第二蓄電装置６の電力が消費される等により、その電圧が例えば１４Ｖ未満に低下した場合には、上記通電制御手段３０から出力される制御信号に応じ、図４に示すように、第二給電回路１９のバイパスリレー１８をオン状態とするとともに、接続ライン２７の接続リレー２６をオフ状態とする制御が実行される。この状態で、車両のエンジンにより上記発電機４を駆動して１２Ｖ〜１４Ｖ程度の電圧で発電を行うことにより、この発電電流を上記第二蓄電装置６に供給して充電する。また、上記発電機４の発電電流が第一給電回路１７を通ってナビゲーション装置１１等からなる第一電気負荷物１５に供給されるとともに、上記発電電流が第二給電回路１９を通って上記パワーステアリング装置２１等からなる第二電気負荷物２３および第一蓄電装置３に供給され、必要に応じて該第一蓄電装置３に対する充電が行われる。
【００２３】
また、上記自動停止制御手段２９によりエンジンを自動停止させる制御が実行された後、上記スタータ２０を作動させてエンジンを再始動させる際には、図５に示すように、第二給電回路１９のバイパスリレー１８をオフ状態としつつ、接続ライン２７の接続リレー２６をオフ状態とする制御が上記通電制御手段３０により実行される。これより、上記接続ライン２７を介した第二蓄電装置６から第二電気負荷物２３等への電力の供給が停止され、該第二電気負荷物２３には、第一蓄電装置３から電力が供給されることになる。
【００２４】
さらに、後述するようにエンジンの自動停止状態で第二蓄電装置６の電力が消費されることにより、その残留電力がエンジンの再始動時に必要とされる消費電力よりも小さくなる虞が生じた場合には、上記バイパスリレー１８をオフ状態とするとともに、接続リレー２６をオン状態としつつ、上記ＤＣ／ＤＣコンバータ１６の出力を停止する制御が実行される。この状態では、図６に示すように、第一蓄電装置３からの電力がパワーステアリング装置２１等からなる第二電気負荷物２３に供給されるとともに、上記接続ライン２７を通ってナビゲーション装置１１等からなる第一電気負荷物１５に上記第一蓄電装置３からの電力が供給される。これにより、上記第二蓄電装置６の電力消費が抑制され、エンジンを自動停止させた後に再始動させる際に、該第二蓄電装置６の電力不足に起因して上記ナビゲーション装置１１等からなる第一電気負荷物１５が作動不可となること等が防止されることになる。
【００２５】
次に、上記自動停止制御手段２９によりエンジンの自動停止条件が成立したと判定された場合に、上記通電制御手段３０において実行される通電制御動作を図７に示すフローチャートに基づいて説明する。上記制御動作がスタートすると、第二給電回路１９のバイパスリレー１８がオン状態にあるか否かを判定する（ステップＳ１）。該ステップＳ１でＮＯと判定され、図３に示すように上記バイパスリレー１８がオフとなった通常の状態にあることが確認された場合には、第一電気負荷物１５の消費電流と第二電気負荷物２３の消費電流との合計値ＧＡが、２０Ａ程度に設定された上記ＤＣ／ＤＣコンバータ１６の定格出力電流よりも大きくなる傾向があるか否かを判定する（ステップＳ２）。
【００２６】
上記ステップＳ２でＹＥＳと判定され、第一電気負荷物１５および第二電気負荷物２３の多くが作動状態となってその消費電流の合計値ＧＡが上記定格電流値（２０Ａ程度）よりも大きくなる可能性あることが確認された場合には、上記自動停止制御手段２９に自動停止不許可信号を出力した後（ステップＳ３）、上記発電機４を作動状態として該発電機４の発電電流を第一蓄電装置３、第二電気負荷物２３および第一電気負荷物１５にそれぞれ供給する（ステップＳ４）。
【００２７】
すなわち、図４に示すように、第二給電回路１９のバイパスリレー１８をオン状態とするとともに、接続ライン２７の接続リレー２６をオフ状態とし、かつ車両のエンジンにより上記発電機４を駆動して１２Ｖ〜１４Ｖ程度の電圧で発電を行うことにより、この発電電流を、第二給電回路１９を介して上記第一蓄電装置３およびパワーステアリング装置２１等からなる第二電気負荷物２３に供給するとともに、上記第一給電回路１７を介してナビゲーション装置１１等からなる第一電気負荷物１５に上記発電電流を供給する。
【００２８】
上記のように第一電気負荷物１５および第二電気負荷物２３の消費電流が多い場合に、発電機４の発電電流を、第二給電回路１９を介して上記第一蓄電装置３および第二電気負荷物２３に供給する制御を実行し、第二蓄電装置６の電力消費を抑制することにより、エンジンの自動停止状態で第二蓄電装置６から上記ＤＣ／ＤＣコンバータ１６を介して各電気負荷物１５，２３に充分な電流を供給することができなくなって該電気負荷物１５，２３が作動停止状態となり、あるいは上記第一蓄電装置３から各電気負荷物１５，２３に多量の電流が供給されてエンジンの再始動に必要な第一蓄電装置３の電力が不足すること等を防止することができる。
【００２９】
一方、上記ステップＳ２でＮＯと判定され、第一電気負荷物１５および第二電気負荷物２３の消費電流の合計値ＧＡが上記定格電流値（２０Ａ）以下であることが確認された場合には、上記第二電圧検出手段１０により検出された第二蓄電装置６の残留電力ＺＡがエンジンを自動停止させた後に再始動させる際に必要とされる消費電力よりも大きいか否かを判定する（ステップＳ５）。このステップＳ５でＮＯと判定され、エンジンの再始動時に第二蓄電装置６の残留電力ＺＡが少ないために上記消費電力を賄うことができない可能性があることが確認された場合には、上記自動停止制御手段２９に自動停止不許可信号を出力し（ステップＳ６）、かつ上記発電機４を作動状態として該発電機４の発電電流を上記第二電気負荷物２３および第一電気負荷物１５に供給しつつ、第二蓄電装置６に対する充電を行う（ステップＳ７）。
【００３０】
すなわち、図３に示すように、上記第二給電回路１９のバイパスリレー１８をオフ状態とするとともに、上記接続ライン２７の接続リレー２６をオン状態とした通常状態において、上記発電機４を駆動することにより、その発電電流を第二蓄電装置６に供給して充電しつつ、上記第二給電回路１９のＤＣ／ＤＣコンバータ１６を介してナビゲーション装置１１等からなる第一電気負荷物１５に供給するとともに、上記接続ライン２７を介して第一蓄電装置３および第二電気負荷物２３に供給する。
【００３１】
上記ステップＳ５でＹＥＳと判定されて第二蓄電装置６の残留電力ＺＡがエンジンを自動停止させた後に再始動させる際に必要とされる消費電力よりも大きいことが確認された場合には、上記自動停止制御手段２９に自動停止許可信号を出力することによりエンジンの自動停止状態とする制御を実行する（ステップＳ８）。その後、例えば上記第二蓄電装置６の電力が消費される等により、その残留電力ＺＡがエンジンを自動停止させた後に再始動させる際に必要とされる消費電力よりも小さくなる虞があるか否かを判定し（ステップＳ９）、ＹＥＳと判定された場合には、上記第一給電回路１７のＤＣ／ＤＣコンバータ１６を出力停止状態とする制御信号を出力した後（ステップＳ１０）、リターンする。
【００３２】
なお、上記ＤＣ／ＤＣコンバータ１６の出力が停止されると、図６に示すように、第一蓄電装置３からの電力がパワーステアリング装置２１等からなる第二電気負荷物２３に供給されるとともに、上記接続ライン２７を通ってナビゲーション装置１１等からなる第一電気負荷物１５にも上記第一蓄電装置３から電力が供給される。これにより、エンジンを自動停止させた後に再始動させる際に、上記第二蓄電装置６の電力不足が生じるのを効果的に抑制することができ、上記ナビゲーション装置１１等からなる第一電気負荷物１５が作動不可となるのを防止できるという利点がある。
【００３３】
また、上記ステップＳ１でＹＥＳと判定されてバイパスリレー１８がオン状態となっていること、例えば後述するようにエンジンの再始動後において、図４に示すように上記バイパスリレー１８がオン状態となり、発電機４の発電電流が、第二給電回路１９を通って上記第一蓄電装置３およびパワーステアリング装置２１等からなる第二電気負荷物２３に供給されて、該第一蓄電装置３に対する充電が行われるとともに、上記接続ライン２７を通って上記ナビゲーション装置１１等からなる第一電気負荷物１５にも上記発電機４の発電電流が供給されている状態にあることが確認された場合には、上記バイパスリレー１８をオフ状態とする条件が成立しているか否かを判定する（ステップＳ１１）。
【００３４】
上記ステップＳ１１でＮＯと判定されてバイパスリレー１８をオフ状態とする条件が成立していないことが確認された場合には、上記ステップＳ３に移行して自動停止制御手段２９に自動停止不許可信号を出力した後、ステップＳ４において、発電機４の発電電流を第一蓄電装置３、第二電気負荷物２３および第一電気負荷物１５に供給する。
【００３５】
一方、上記ステップＳ１１でＹＥＳと判定され、第一電気負荷物１５および第二電気負荷物２３の消費電流の合計値ＧＡがＤＣ／ＤＣコンバータ１６の定格出力電流（例えば２０Ａ）よりも小さくなる等により、発電機４から第一電気負荷物１５および第二電気負荷物２３等へ給電する必要がなくなったことが確認された場合には、上記バイパスリレー１８をオフ状態とする制御信号を出力する（ステップＳ１２）。
【００３６】
次いで、上記第二蓄電装置６の残留電力ＺＡがエンジンを自動停止させた後に再始動させる際に必要とされる消費電力よりも大きいか否かを判定する（ステップＳ１３）。このステップＳ１３でＮＯと判定され、第二蓄電装置６の残留電力ＺＡが少ないために上記消費電力を賄うことができない状態にあることが確認された場合には、発電機４の発電電流により第二蓄電装置６の充電を行う（ステップＳ１４）。
【００３７】
すなわち、図３に示すように、上記接続ライン２７の接続リレー２６をオンとするとともに、上記第二給電回路１９のバイパスリレー１８をオフした状態で、上記発電機４を駆動することにより、その発電電流を上記第一給電回路１７のＤＣ／ＤＣコンバータ１６を介してナビゲーション装置１１等からなる第一電気負荷物１５に供給するとともに、上記接続ライン２７を介して第一蓄電装置３および第二電気負荷物２３に供給しつつ、第二蓄電装置６に対する充電を行う。
【００３８】
そして、上記ステップＳ１３に戻って第二蓄電装置６の残留電力ＺＡが上記必要消費電力よりも大きくなったか否かを再び判定し、ＹＥＳと判定された時点で、上記ステップＳ８に移行して自動停止制御手段２９に自動停止許可信号を出力し、エンジンを自動停止状態とする制御を実行する。
【００３９】
次に、上記エンジンの自動停止状態で自動停止制御手段２９により再始動条件が成立したと判定された場合に、上記通電制御手段３０において実行される通電制御動作を、図８に示すフローチャートに基づいて説明する。上記制御動作がスタートすると、第一給電回路１７のＤＣ／ＤＣコンバータ１６が出力停止状態（図６参照）にあるか否かを判定し（ステップＳ２１）、ＮＯと判定された場合には、下記ステップＳ２３に移行する。
【００４０】
上記ステップＳ２１でＹＥＳと判定された場合には、ＤＣ／ＤＣコンバータ１６の出力を開始する指令信号を出力した後（ステップＳ２２）、上記接続ライン２７の接続リレー２６をオフ状態とする制御信号を出力し（ステップＳ２３）、図５に示すように、第二給電回路１９のバイパスリレー１８および接続ライン２７の接続リレー２６がそれぞれオフ状態とする。このようにして上記第二蓄電装置６から第二電気負荷物２３等への電力の供給を停止するとともに、該第二電気負荷物２３に第一蓄電装置３の電力を供給する状態に移行することにより、エンジンの再始動時に上記第二蓄電装置６の電力不足が生じることがなく、各電気負荷物１５，２３を適正に作動させることができる。
【００４１】
次いで、エンジンの再始動が完了したか否かを判定し（ステップＳ２４）、ＹＥＳと判定された時点で、上記ＤＣ／ＤＣコンバータ１６の出力電圧を定格下限値である１２Ｖ以上に維持できる状態にあるか否か判定し（ステップＳ２５）、ＹＥＳと判定された場合には、上記接続ライン２７の接続リレー２６をオン状態とする制御信号を出力することにより（ステップＳ２６）、通常の運転状態に移行する。
【００４２】
上記ステップＳ２５でＮＯと判定され、ＤＣ／ＤＣコンバータ１６の出力電圧が定格下限電圧未満に低下する可能性があることが確認された場合には、第二給電回路１９のバイパスリレー１８をオン状態とする制御信号を出力した後（ステップＳ２７）、上記発電機４を駆動して１２Ｖ〜１４Ｖ程度の電圧で発電を行うことにより（ステップＳ２８）、図４に示すように、発電機４の発電電流を、第二給電回路１９により上記第一蓄電装置３および第二電気負荷物２３に供給するとともに、第一給電回路１７を介して第一電気負荷物１５に供給する。なお、上記接続ライン２７の接続リレー２６をＯＮ状態とし、発電機４の発電電流を、第二給電回路１９のバイパスリレー１８から接続ライン２７を介してナビゲーション装置１１等からなる第一電気負荷物１５に供給するようにしてもよい。
【００４３】
次いで、上記発電機４の発電電流に代替して、ＤＣ／ＤＣコンバータ１６から必要電力を供給できる状態にあるか否か、つまり上記第一電気負荷物１５および第二電気負荷物２３の消費電力をＤＣ／ＤＣコンバータ１６の供給電力で賄うことができる状態になったか否かを判定し（ステップＳ２９）、ＮＯと判定された場合には、ステップＳ２８に戻って上記制御動作を繰り返し、上記ステップＳ２９でＹＥＳと判定された時点で、上記ステップＳ２６に移行して第二給電回路１９のバイパスリレー１８をオフ状態とすることにより、図３に示す通常の運転状態に移行する。
【００４４】
上記のようにエンジン始動用のスタータ２０に電力を供給する第一蓄電装置３と、車両の減速時等に運動エネルギーを電気エネルギーに変換して回収する発電機４と、該発電機４に接続されてその発電電力を蓄える第二蓄電装置６とを備えた車両の電源制御装置において、上記第二蓄電装置６とオーディオ類やメータ類等からなる電気負荷容量の小さい電気負荷物１５とをＤＣ／ＤＣコンバータ１６を介して接続する第一給電回路１７と、上記第二蓄電装置６と第一蓄電装置３とを接続リレー２６を介して接続する接続ライン２７と、上記第一給電回路１７および接続ライン２７を流れる電力を制御する通電制御手段３０とを設け、この通電制御手段３０により、上記スタータ２０の作動時に接続ライン２７の接続リレー２６をオフ状態とするように構成したため、簡単な構成で車両に設けられた種々の電気負荷に対して適正に電力を供給できるという利点がある。
【００４５】
すなわち、上記のように鉛蓄電池等からなる通常の第一蓄電装置３以外に、急速な充放電が可能なキャパシタ等からなる第二蓄電装置６を設け、車両の減速時または下り坂の走行時には、上記発電機４により２５Ｖ程度の電圧で発電を行い、該発電電流を第二蓄電装置６に供給して充電し、該第二蓄電装置６に充電された電力を、上記ＤＣ／ＤＣコンバータ１６を介して１４Ｖ程度に降下させた状態で、上記ナビゲーション装置１１等からなる第一電気負荷物１５に供給するとともに、第一蓄電装置３および第二電気負荷物２３に供給するように構成したため、車両の減速時等における回生エネルギーを有効に利用して車両の燃費を効果的に向上することができる。
【００４６】
そして、上記実施形態では、エンジンの自動停止条件が成立したときにエンジンを自動的に停止させるとともに、その後にエンジンの再始動条件が成立したときに上記スタータ２０を作動させてエンジンを自動的に再始動させる自動停止制御手段２９を備えた車両において、上記スタータ２０を作動させて自動停止状態にあるエンジンを再始動させる際に、図５に示すように、上記接続ライン２７の接続リレー２６をオフ状態とすることにより、上記第二蓄電装置６から第一蓄電装置３およびスタータ２０等からなる第二電気負荷物２３への電力の供給を停止し、該第二電気負荷物２３に第一蓄電装置３からの電力を供給するように構成したため、エンジンの再始動時に上記第二蓄電装置６の電力不足に起因して、第二蓄電装置６から上記ＤＣ／ＤＣコンバータ１６を介して各電気負荷物１５，２３に充分な電流を供給することができなくなるという事態の発生を効果的に防止し、該電気負荷物１５，２３が意に反して作動停止状態となるのを効果的に防ぐことができる。
【００４７】
なお、上記自動停止制御手段２９により自動停止状態とされたエンジンを再始動させる際に、上記接続ライン２７の接続リレー２６をオフ状態とするように構成した上記実施形態に代え、あるいはこの構成とともに、イグニッションスイッチの操作に応じてエンジンを停止させた後、該イグニッションキースイッチを操作してスタータ２０を作動させることによりエンジンを始動させる際に、通電制御手段３０により、上記スタータ２０の作動時に接続ライン２７の接続リレー２６をオフ状態とするように構成してもよい。この場合においても、エンジンの始動時に上記第二蓄電装置６の電力不足に起因して、第二蓄電装置６から上記ＤＣ／ＤＣコンバータ１６を介して各電気負荷物１５，２３に充分な電流を供給することができるのを効果的に防止できるという利点がある。
【００４８】
また、上記実施形態では、エンジンの自動停止制御手段２９と、第二蓄電装置６の電圧（残留電力ＺＡ）を検出する電圧検出手段１０とを備えた車両において、該電圧検出手段１０により検出された上記第二蓄電装置６の電圧が所定値以下、つまり上記残留電力ＺＡが、エンジンを自動停止させた後に再始動させる際に必要とされる消費電力よりも小さいと判定された場合に、上記自動停止制御手段による自動停止制御の実行を禁止するように構成したため、エンジンを再始動させる際に第二蓄電装置６の残留電力が少ないことに起因して上記消費電力を賄うことができない状態にあるにも拘わらず、エンジンの自動停止制御が実行されることによる弊害、例えばエンジンの再始動時に、各電気負荷物１５，２３に充分な電流を供給することができず、該電気負荷物１５，２３が作動停止状態となるという事態の発生を効果的に防止することができる。
【００４９】
さらに、上記実施形態に示すように、鉛蓄電池等からなる第一蓄電装置３よりも急速な充放電が可能なキャパシタにより第二蓄電装置６を形成した場合には、上記発電機４の発電電流を第二蓄電装置６に供給して迅速に充電することができるとともに、該第二蓄電装置６に充電された電力を、上記ＤＣ／ＤＣコンバータ１６を介して１４Ｖ程度に降下させた状態で、上記ナビゲーション装置１１等からなる第一電気負荷物１５に供給することにより電力の有効利用を図ることができる。
【００５０】
なお、複数の電気二重層キャパシタからなる第二蓄電装置６を設けてなる上記実施形態に代え、リチイムイオンキャパシタ等のハイブリッドキャパシタや、高出力リチイムイオン電池を用いることも可能である。
【００５１】
また、上記実施形態では、イグニッションスイッチ検出手段２４の出力信号に応じてイグニッションスイッチのオフ操作が行われたことが確認された時点で、第二電圧検出手段１０により検出された第二蓄電装置６の電圧が予め設定された基準値（１６Ｖ）以上であることが確認された場合に、上記放電手段２５による放電制御を実行するように構成したため、鉛蓄電池等に比べて充電電圧の上限値を極めて高い値に設定可能であって、蓄電電圧が高い値に維持された状態で放置されることに起因して早期に劣化し易い傾向があるキャパシタ等からなる上記第二蓄電装置６の早期劣化を効果的に防止できるという利点がある。
【符号の説明】
【００５２】
３  第一蓄電装置
４  発電機
６  第二蓄電装置
９  第一電圧検出手段
１０  第二電圧検出手段
１５  第一電気負荷物
２３  第二電気負荷物
２０  スタータ
２６  接続リレー
２７  接続ライン
２９  自動停止制御手段
３０  通電制御手段
【図１】
0005488529.tif 000002
【図２】
0005488529.tif 000003
【図３】
0005488529.tif 000004
【図４】
0005488529.tif 000005
【図５】
0005488529.tif 000006
【図６】
0005488529.tif 000007
【図７】
0005488529.tif 000008
【図８】
0005488529.tif 000009